(57)【要約】  Ｄ２Ｄ（ユーザ装置間）通信をサポートするユーザ装置は、当該ユーザ装置がＤ２Ｄ信号を送信するときに使用することができる送信用リソースと、当該ユーザ装置がＤ２Ｄ信号を受信するときに使用することができる受信用リソースとのうち少なくとも一方を示す情報を生成する生成部と、生成された情報を他ユーザ装置に送信する送信部とを有し、前記送信用リソースと前記受信用リソースとは時間的に直交することを特徴とする。
2016076107.tif 000002
【特許請求の範囲】
【請求項１】
Ｄ２Ｄ（ユーザ装置間）通信をサポートするユーザ装置であって、
当該ユーザ装置がＤ２Ｄ信号を送信するときに使用することができる送信用リソースと、当該ユーザ装置がＤ２Ｄ信号を受信するときに使用することができる受信用リソースとのうち少なくとも一方を示す情報を生成する生成部と、
生成された情報を他ユーザ装置に送信する送信部と、
を有し、
前記送信用リソースと前記受信用リソースとは時間的に直交することを特徴とするユーザ装置。
【請求項２】
Ｄ２Ｄ（ユーザ装置間）通信をサポートするユーザ装置であって、
受信したＤ２Ｄ信号を基地局に中継する機能があることを示す情報を生成する生成部と、
生成された情報を他ユーザ装置に送信する送信部と、
他ユーザ装置から、Ｄ２Ｄ信号の基地局への中継を要求するリレー要求を受信する受信部と、
他ユーザ装置及び基地局との間に接続を設定する接続管理部と、
を有し、
前記受信部は、他ユーザ装置から、基地局に中継すべきＤ２Ｄ信号を受信し、
前記送信部は、他ユーザ装置から受信したＤ２Ｄ信号を基地局に中継することを特徴とするユーザ装置。
【請求項３】
Ｄ２Ｄ（ユーザ装置間）通信をサポートするユーザ装置であって、
受信したＤ２Ｄ信号を基地局に中継する機能があるリレー端末に対してＤ２Ｄ信号の基地局への中継を要求するリレー要求を生成する生成部と、
生成されたリレー要求をリレー端末に送信する送信部と、
基地局に送信すべきＤ２Ｄ信号の送信先のリレー端末を選択するリレー端末選択部と、
選択されたリレー端末及び基地局との間に接続を設定する接続管理部と、
を有し、
前記送信部は、基地局に送信すべきＤ２Ｄ信号を選択されたリレー端末に送信することを特徴とするユーザ装置。
【請求項４】
前記生成部は、他ユーザ装置に対してリンク品質を測定させるための参照信号のリソースを示す情報を更に生成する、請求項２又は３に記載のユーザ装置。
【請求項５】
リレー端末との間のリンク品質を測定するための参照信号のリソースを示す情報を受信する受信部と、
受信した参照信号のリソースにおいてリレー端末との間のリンク品質を測定するリンク品質測定部と、
を更に有し、
前記リレー端末選択部は、測定したリンク品質に基づいてリレー端末を選択する、請求項３に記載のユーザ装置。
【請求項６】
Ｄ２Ｄ（ユーザ装置間）通信をサポートするユーザ装置であって、
接続先のユーザ装置から接続を管理するための制御情報を受信する受信部と、
受信した制御情報に基づいて、接続先のユーザ装置との接続を管理する接続管理部と、
を有するユーザ装置。
【請求項７】
Ｄ２Ｄ（ユーザ装置間）通信をサポートするユーザ装置におけるＤ２Ｄ通信方法であって、
当該ユーザ装置がＤ２Ｄ信号を送信するときに使用することができる送信用リソースと、当該ユーザ装置がＤ２Ｄ信号を受信するときに使用することができる受信用リソースとのうち少なくとも一方を示す情報を生成するステップと、
生成された情報を他ユーザ装置に送信するステップと、
を有し、
前記送信用リソースと前記受信用リソースとは時間的に直交することを特徴とするＤ２Ｄ通信方法。
【請求項８】
Ｄ２Ｄ（ユーザ装置間）通信をサポートするユーザ装置におけるＤ２Ｄ通信方法であって、
受信したＤ２Ｄ信号を基地局に中継する機能があることを示す情報を生成するステップと、
生成された情報を他ユーザ装置に送信するステップと、
他ユーザ装置から、Ｄ２Ｄ信号の基地局への中継を要求するリレー要求を受信するステップと、
他ユーザ装置及び基地局との間に接続を設定するステップと、
他ユーザ装置から、基地局に中継すべきＤ２Ｄ信号を受信するステップと、
他ユーザ装置から受信したＤ２Ｄ信号を基地局に中継するステップと、
を有するＤ２Ｄ通信方法。
【請求項９】
Ｄ２Ｄ（ユーザ装置間）通信をサポートするユーザ装置におけるＤ２Ｄ通信方法であって、
受信したＤ２Ｄ信号を基地局に中継する機能があるリレー端末に対してＤ２Ｄ信号の基地局への中継を要求するリレー要求を生成するステップと、
生成されたリレー要求をリレー端末に送信するステップと、
基地局に送信すべきＤ２Ｄ信号の送信先のリレー端末を選択するステップと、
選択されたリレー端末及び基地局との間に接続を設定するステップと、
基地局に送信すべきＤ２Ｄ信号を選択されたリレー端末に送信するステップと、
を有するＤ２Ｄ通信方法。
【請求項１０】
Ｄ２Ｄ（ユーザ装置間）通信をサポートするユーザ装置におけるＤ２Ｄ通信方法であって、
接続先のユーザ装置から接続を管理するための制御情報を受信するステップと、
受信した制御情報に基づいて、接続先のユーザ装置との接続を管理するステップと、
を有するＤ２Ｄ通信方法。
【発明の詳細な説明】
【技術分野】
【０００１】
本発明は、Ｄ２Ｄ（ユーザ装置間）通信をサポートするユーザ装置及びＤ２Ｄ通信方法に関する。
【背景技術】
【０００２】
現状のＬＴＥ（Ｌｏｎｇ  Ｔｅｒｍ  Ｅｖｏｌｕｔｉｏｎ）等の移動体通信システムでは、ユーザ装置ＵＥと基地局ｅＮＢが通信を行うことにより基地局ｅＮＢ等を介してユーザ装置ＵＥ間で通信を行うことが一般的であるが、近年、ユーザ装置ＵＥ間で直接に通信を行うＤ２Ｄ通信（Ｓｉｄｅ  Ｌｉｎｋ通信とも呼ばれる）についての種々の技術が提案されている。【０００３】
特に、ＬＴＥにおけるＤ２Ｄ通信では、ユーザ装置ＵＥ間でプッシュ通話等のデータ通信を行う「Ｃｏｍｍｕｎｉｃａｔｉｏｎ（コミュニケーション）」と、ユーザ装置ＵＥが、自身のＩＤやアプリケーションＩＤ等を含む発見（Ｄｉｓｃｏｖｅｒｙ）信号を送信することで、受信側のユーザ装置ＵＥに送信側のユーザ装置ＵＥの検出を行わせる「Ｄｉｓｃｏｖｅｒｙ（発見）」が提案されている（非特許文献１参照）。なお、Ｃｏｍｍｕｎｉｃａｔｉｏｎは、例えば、Ｐｕｂｌｉｃ  ｓａｆｅｔｙ（警察・消防無線など）への適用が想定されている。【０００４】
また、Ｄ２Ｄ通信を基地局ｅＮＢのカバレッジの拡張のために利用することも提案されている。基地局ｅＮＢのカバレッジ内において信号中継機能を有するユーザ装置ＵＥ（以降、"リレー端末"と呼ぶ）が、他ユーザ装置ＵＥ（以降、"リモート端末"と呼ぶ）から受信したデータを基地局ｅＮＢに中継すること（以降、"Ｄ２Ｄリレー"と呼ぶ）により、リモート端末がカバレッジ外に存在する場合であっても基地局ｅＮＢと通信することが可能になる（非特許文献２参照）。
【先行技術文献】
【非特許文献】
【０００５】
【非特許文献１】３ＧＰＰ  ＴＲ  ３６．８４３  Ｖ１２．０．１  （２０１４−０３）
【非特許文献２】３ＧＰＰ  ＴＳ  ２３．３０３  Ｖ１２．２．０  （２０１４−０９）
【発明の概要】
【発明が解決しようとする課題】
【０００６】
基地局ｅＮＢからユーザ装置ＵＥ個別にシグナリングされない場合、Ｄ２Ｄ通信のためのリソースは、基地局ｅＮＢから通知されるか、予め決められたリソースの範囲（以降"Ｄ２Ｄリソースプール"と呼ぶ）の中から選択される。このＤ２Ｄリソースプールは、ユーザ装置ＵＥから基地局ｅＮＢへの信号送信用のリソースとして既に規定されている上りリンクリソースの一部を利用することが検討されている。Ｄ２Ｄ通信を行うユーザ装置ＵＥは、Ｄ２Ｄリソースプールの中からリソースを選択してＤ２Ｄ信号を送信する。【０００７】
一方、Ｄ２Ｄ通信では、送信と受信を切り替えて通信する半二重（ｈａｌｆ  ｄｕｐｌｅｘ）が適用される。このため、ユーザ装置ＵＥが自分の判断でＤ２Ｄリソースプールの中からリソースを選択してＤ２Ｄ信号を送信した場合、そのＤ２Ｄ信号の送信中に他ユーザ装置ＵＥから送信されたＤ２Ｄ信号を受信することはできない。【０００８】
このような問題は、Ｄ２Ｄリレーにおいても発生し、リレー端末ＵＥがＤ２Ｄ信号を送信している間に、リモート端末ＵＥから基地局ｅＮＢに中継すべきＤ２Ｄ信号を受信することはできない。また、リモート端末ＵＥがＤ２Ｄ信号を送信している間に、リレー端末ＵＥからＤ２Ｄ信号を受信することはできない。【０００９】
また、Ｄ２Ｄリレーを行う場合には、リモート端末ＵＥからリレー端末ＵＥへの要求、リレー端末ＵＥの選択、リレー端末ＵＥとリモート端末ＵＥとの接続の設定及び管理等が適切に実施されなければ、リレー端末ＵＥがリモート端末ＵＥのＤ２Ｄ信号を基地局ｅＮＢに中継するときのＤ２Ｄリレーの効率が低下する。例えば、リレー端末ＵＥが近くに存在しないにもかかわらず、リモート端末ＵＥがＤ２Ｄリレーのための要求を送信することは望ましくない。例えば、リモート端末ＵＥが近くのリレー端末ＵＥを選択したとしても、選択したリレー端末ＵＥから基地局ｅＮＢへの品質が悪い場合、Ｄ２Ｄリレーの効率が低下する。また、例えば、仮に最適なリレー端末ＵＥが選択されたとしても、Ｄ２Ｄリレーの通信中に基地局ｅＮＢとリレー端末ＵＥとの間の接続が解放された場合、基地局ｅＮＢとリレー端末ＵＥとの間の品質が低下した場合、又はリレー端末ＵＥとリモート端末ＵＥとの間の品質が低下した場合等、リレー端末ＵＥがリモート端末ＵＥのＤ２Ｄ信号を基地局ｅＮＢに中継することができなくなる。【００１０】
本発明は、このようなＤ２Ｄ通信の問題のうち少なくとも１つを解決し、効率的なＤ２Ｄ通信を実現することを目的とする。
【課題を解決するための手段】
【００１１】
本発明の一形態に係るユーザ装置は、
Ｄ２Ｄ（ユーザ装置間）通信をサポートするユーザ装置であって、
当該ユーザ装置がＤ２Ｄ信号を送信するときに使用することができる送信用リソースと、当該ユーザ装置がＤ２Ｄ信号を受信するときに使用することができる受信用リソースとのうち少なくとも一方を示す情報を生成する生成部と、
生成された情報を他ユーザ装置に送信する送信部と、
を有し、
前記送信用リソースと前記受信用リソースとは時間的に直交することを特徴とする。【００１２】
また、本発明の一形態に係るユーザ装置は、
Ｄ２Ｄ（ユーザ装置間）通信をサポートするユーザ装置であって、
受信したＤ２Ｄ信号を基地局に中継する機能があることを示す情報を生成する生成部と、
生成された情報を他ユーザ装置に送信する送信部と、
他ユーザ装置から、Ｄ２Ｄ信号の基地局への中継を要求するリレー要求を受信する受信部と、
他ユーザ装置及び基地局との間に接続を設定する接続管理部と、
を有し、
前記受信部は、他ユーザ装置から、基地局に中継すべきＤ２Ｄ信号を受信し、
前記送信部は、他ユーザ装置から受信したＤ２Ｄ信号を基地局に中継することを特徴とする。【００１３】
また、本発明の一形態に係るユーザ装置は、
Ｄ２Ｄ（ユーザ装置間）通信をサポートするユーザ装置であって、
受信したＤ２Ｄ信号を基地局に中継する機能があるリレー端末に対してＤ２Ｄ信号の基地局への中継を要求するリレー要求を生成する生成部と、
生成されたリレー要求をリレー端末に送信する送信部と、
基地局に送信すべきＤ２Ｄ信号の送信先のリレー端末を選択するリレー端末選択部と、
選択されたリレー端末及び基地局との間に接続を設定する接続管理部と、
を有し、
前記送信部は、基地局に送信すべきＤ２Ｄ信号を選択されたリレー端末に送信することを特徴とする。【００１４】
また、本発明の一形態に係るユーザ装置は、
Ｄ２Ｄ（ユーザ装置間）通信をサポートするユーザ装置であって、
接続先のユーザ装置から接続を管理するための制御情報を受信する受信部と、
受信した制御情報に基づいて、接続先のユーザ装置との接続を管理する接続管理部と、
を有することを特徴とする。【００１５】
本発明の一形態に係るＤ２Ｄ通信方法は、
Ｄ２Ｄ（ユーザ装置間）通信をサポートするユーザ装置におけるＤ２Ｄ通信方法であって、
当該ユーザ装置がＤ２Ｄ信号を送信するときに使用することができる送信用リソースと、当該ユーザ装置がＤ２Ｄ信号を受信するときに使用することができる受信用リソースとのうち少なくとも一方を示す情報を生成するステップと、
生成された情報を他ユーザ装置に送信するステップと、
を有し、
前記送信用リソースと前記受信用リソースとは時間的に直交することを特徴とする。【００１６】
また、本発明の一形態に係るＤ２Ｄ通信方法は、
Ｄ２Ｄ（ユーザ装置間）通信をサポートするユーザ装置におけるＤ２Ｄ通信方法であって、
受信したＤ２Ｄ信号を基地局に中継する機能があることを示す情報を生成するステップと、
生成された情報を他ユーザ装置に送信するステップと、
他ユーザ装置から、Ｄ２Ｄ信号の基地局への中継を要求するリレー要求を受信するステップと、
他ユーザ装置及び基地局との間に接続を設定するステップと、
他ユーザ装置から、基地局に中継すべきＤ２Ｄ信号を受信するステップと、
他ユーザ装置から受信したＤ２Ｄ信号を基地局に中継するステップと、
を有することを特徴とする。【００１７】
また、本発明の一形態に係るＤ２Ｄ通信方法は、
Ｄ２Ｄ（ユーザ装置間）通信をサポートするユーザ装置におけるＤ２Ｄ通信方法であって、
受信したＤ２Ｄ信号を基地局に中継する機能があるリレー端末に対してＤ２Ｄ信号の基地局への中継を要求するリレー要求を生成するステップと、
生成されたリレー要求をリレー端末に送信するステップと、
基地局に送信すべきＤ２Ｄ信号の送信先のリレー端末を選択するステップと、
選択されたリレー端末及び基地局との間に接続を設定するステップと、
基地局に送信すべきＤ２Ｄ信号を選択されたリレー端末に送信するステップと、
を有することを特徴とする。【００１８】
また、本発明の一形態に係るＤ２Ｄ通信方法は、
Ｄ２Ｄ（ユーザ装置間）通信をサポートするユーザ装置におけるＤ２Ｄ通信方法であって、
接続先のユーザ装置から接続を管理するための制御情報を受信するステップと、
受信した制御情報に基づいて、接続先のユーザ装置との接続を管理するステップと、
を有することを特徴とする。
【発明の効果】
【００１９】
本発明によれば、効率的なＤ２Ｄ通信を実現することが可能になる。
【図面の簡単な説明】
【００２０】
【図１】本発明の実施例に係る通信システムの概略図
【図２】Ｄ２Ｄリソースプールを示す図
【図３】本発明の実施例に係るユーザ装置の構成図
【図４】本発明の実施例に係るユーザ装置におけるベースバンド信号処理部の構成図
【図５】本発明の実施例に係るユーザ装置におけるＤ２Ｄ通信方法を示すフローチャート
【図６】本発明の実施例に係る通信システムにおけるＤ２Ｄリレーの手順を示すシーケンス図（その１）
【図７】本発明の実施例に係る通信システムにおけるＤ２Ｄリレーの手順を示すシーケンス図（その２）
【図８】本発明の実施例に係るユーザ装置（リモート端末）におけるベースバンド信号処理部の構成図
【図９】本発明の実施例に係る基地局の構成図
【図１０】本発明の実施例に係る基地局におけるベースバンド信号処理部の構成図
【発明を実施するための形態】
【００２１】
以下、本発明の実施例について図面を参照して説明する。
【００２２】
＜通信システムにおける動作の概要＞
図１は、本発明の実施例に係る通信システムの概略図である。本発明の実施例に係る通信システムは、基地局ｅＮＢのカバレッジ（セル）内にユーザ装置ＵＥ１が存在するセルラ通信システムである。カバレッジ内のユーザ装置ＵＥ１はＤ２Ｄ通信機能を有しており、カバレッジ内の他ユーザ装置との間でＤ２Ｄ通信を行うことが可能である。また、カバレッジ内のユーザ装置ＵＥ１はカバレッジ外のユーザ装置ＵＥ２とＤ２Ｄ通信を行うことも可能である。カバレッジ外のユーザ装置ＵＥ２もＤ２Ｄ通信機能を有しており、他ユーザ装置との間でＤ２Ｄ通信を行うことが可能である。更に、カバレッジ内のユーザ装置ＵＥ１は基地局ｅＮＢとの間で通常のセルラ通信を行うことが可能である。
【００２３】
カバレッジ内のユーザ装置ＵＥ１は、信号中継機能を有するリレー端末であり、リモート端末であるカバレッジ外のユーザ装置ＵＥ２から受信したＤ２Ｄ信号を基地局ｅＮＢに中継することが可能である。以下の説明では、基地局ｅＮＢとリレー端末ＵＥ１との間のリンクをバックホールリンクと呼び、リレー端末ＵＥ１とリモート端末ＵＥ２との間のリンクをアクセスリンクと呼ぶ。
【００２４】
このような通信システムにおけるＤ２Ｄリレーの効率的な実現のため、本発明の実施例では、以下の内容について詳細に説明する。
【００２５】
（１）送信用リソースと受信用リソースとの直交化
Ｄ２Ｄでは、送信と受信を切り替えて通信する半二重（ｈａｌｆ  ｄｕｐｌｅｘ）が適用される。すなわち、リレー端末ＵＥ１及びリモート端末ＵＥ２は、Ｄ２Ｄ信号を送信している間にＤ２Ｄ信号を受信することができないため、送信用リソースと受信用リソースを時間的に直交化させる手法について説明する。
【００２６】
なお、送信用リソースと受信用リソースとの直交化はＤ２Ｄリレーに限定されることなく、ユーザ装置間のユニキャストＤ２Ｄ通信にも一般的に適用可能である。
【００２７】
（２）リレー端末ＵＥ１の選択
Ｄ２Ｄリレーの実現に際して、リモート端末ＵＥ２がリレー端末ＵＥ１が存在することを把握する手法を説明すると共に、信号中継機能を有する複数のユーザ装置がカバレッジ内に存在する場合には、これらの複数のユーザ装置から適切なリレー端末ＵＥ１を選択する手法について説明する。
【００２８】
（３）アクセスリンクの品質を測定するための同期信号又は参照信号のリソース及びリレー端末ＵＥ１の選択又は再選択
適切なリレー端末ＵＥ１の選択のためには、リモート端末ＵＥ２又はリレー端末ＵＥ１は、アクセスリンクの品質を測定する必要がある。このアクセスリンクの品質を測定するための同期信号又は参照信号のリソースの構成について説明する。また、同期信号又は参照信号に基づいてアクセスリンクの品質を測定し、リレー端末ＵＥ１の選択又は再選択を行う手法についても説明する。
【００２９】
（４）アクセスリンクの接続管理
安定したＤ２Ｄリレーの実現のためには、アクセスリンクの接続状態を管理し、Ｄ２Ｄリレーに適さないアクセスリンクあるいは不要になったアクセスリンクを解放する必要がある。このような安定したＤ２Ｄリレーの実現のための接続管理について説明する。
【００３０】
（５）バックホールリンクにおけるリソース割り当て
Ｄ２Ｄリレーでは、リレー端末ＵＥ１は基地局ｅＮＢのカバレッジ端に位置し、十分なバックホールリンクの容量を有していない可能性がある。更に、リレー端末ＵＥ１はリモート端末ＵＥ２からのＤ２Ｄ信号を中継するために、トラヒック量が増加すると考えられる。このような状況に対処するため、基地局ｅＮＢがトラヒック量の増加を考慮してリレー端末ＵＥ１にリソースを割り当てる手法について説明する。
【００３１】
＜送信用リソースと受信用リソースとの直交化＞
Ｄ２Ｄ通信における半二重（ｈａｌｆ  ｄｕｐｌｅｘ）によるユーザ装置ＵＥの送信サブフレーム間の衝突を回避するため、送信用リソースと受信用リソースとを直交化させることについて説明する。
【００３２】
図２は、Ｄ２Ｄリソースプールを示す図である。Ｄ２Ｄ通信のためのリソース群であるＤ２Ｄリソースプール内には、Ｄ２Ｄ通信のための同期信号であるＤ２ＤＳＳ（Ｄ２Ｄ  Ｓｙｎｃｈｒｏｎｉｚａｔｉｏｎ  Ｓｉｇｎａｌ）、Ｄ２Ｄ通信のための報知チャネルであるＰＤ２ＤＳＣＨ（Ｐｈｙｓｉｃａｌ  Ｄ２Ｄ  Ｓｙｎｃｈｒｏｎｉｚａｔｉｏｎ  Ｃｈａｎｎｅｌ）、ＣｏｍｍｕｎｉｃａｔｉｏｎのためのＳＡ（Ｓｃｈｅｄｕｌｉｎｇ  Ａｓｓｉｇｎｍｅｎｔ）／データ、Ｄｉｓｃｏｖｅｒｙ信号用のリソースがそれぞれ周期的に確保される。Ｃｏｍｍｕｎｉｃａｔｉｏｎによる通信が行われる場合、送信側のユーザ装置はＳＡによってデータ送信用リソースや制御情報を受信側のユーザ装置に通知し、当該データ送信用リソースでデータを送信する。
【００３３】
ユーザ装置ＵＥは、図２に示すＤ２Ｄリソースプールの中から、自ユーザ装置ＵＥがＤ２Ｄ信号を送信するときに使用することができる送信用リソースと、自ユーザ装置ＵＥがＤ２Ｄ信号を受信するときに使用することができる受信用リソースとの双方又は一方を示す情報を他ユーザ装置に通知する。例えば、リレー端末ＵＥ１は、Ｄ２Ｄリソースプールの中から自リレー端末ＵＥ１の送信用リソースをリモート端末ＵＥ２に通知してもよく、Ｄ２Ｄリソースプールの中から自リレー端末ＵＥ１の受信用リソースをリモート端末ＵＥ２に通知してもよい。同様に、リモート端末ＵＥ２が自リモート端末ＵＥ２の送信用リソース又は受信用リソースをリレー端末ＵＥ１に通知してもよい。このような送信用リソース又は受信用リソースの情報は、ＰＤ２ＤＳＣＨで送信されてもよく、Ｄｉｓｃｏｖｅｒｙ信号又はＣｏｍｍｕｎｉｃａｔｉｏｎのＳＡないしデータにより送信されてもよい。
【００３４】
なお、基地局ｅＮＢのカバレッジ内でのユニキャストＤ２Ｄ通信の場合には、基地局ｅＮＢが直交した送信用リソース及び受信用リソースを決定し、各ユーザ装置ＵＥに通知してもよい。
【００３５】
送信用リソースと受信用リソースとは、Ｄ２Ｄリソースプールにおいてサブフレーム単位で切り替えられてもよく、ＳＡを送信する周期（ＳＡ周期）毎に切り替えられてもよい。また、送信用リソースに専用のＤ２Ｄリソースプールと受信用リソースに専用のリソースプールとが設定され、Ｄ２Ｄリソースプール単位で切り替えられてもよい。
【００３６】
また、ユーザ装置ＵＥがＣｏｍｍｕｎｉｃａｔｉｏｎによって複数のＳＡ周期にわたってデータを他ユーザ装置に送信する場合、送信サブフレームを示すインデックスであるＴ−ＲＰＴ（ｔｉｍｅ  ｒｅｓｏｕｒｃｅ  ｐａｔｔｅｒｎ  ｏｆ  ｔｒａｎｓｍｉｓｓｉｏｎ）を変更しないようにしてもよい。この場合、他ユーザ装置は、Ｔ−ＲＰＴによって示されるリソースのみで信号が送信されることを認識することができるため、他のリソースを送信用リソースとして使用することが可能になる。なお、次回以降のＳＡ周期においてもＴ−ＲＰＴを変更しないこと、すなわち、送信用リソースとしてＴ−ＲＰＴによって示されるリソースのみを使用することは、ユーザ装置ＵＥの動作として予め設定されてもよく、Ｄ２Ｄ通信の制御情報であるＳＣＩ（Ｓｉｄｅｌｉｎｋ  Ｃｏｎｔｒｏｌ  Ｉｎｆｏｒｍａｔｉｏｎ）（スケジューリングのＳＣＩまたは他のＳＣＩ）により他ユーザ装置に通知されてもよい。
【００３７】
このような送信用リソース及び受信リソースを設定するためのユーザ装置ＵＥの構成について以下に説明する。
【００３８】
図３は、本発明の実施例に係るユーザ装置１０の構成図である。ユーザ装置１０は、基地局ｅＮＢと通信することができると共に、Ｄ２Ｄ通信機能を有する装置である。ユーザ装置１０は、アプリケーション部１０１と、ベースバンド信号処理部１０３と、送受信部１０５と、アンプ部１０７とを有する。ユーザ装置１０は、ＣＰＵ（Ｃｅｎｔｒａｌ  Ｐｒｏｃｅｓｓｉｎｇ  Ｕｎｉｔ）等のプロセッサ、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等のメモリ装置、ハードディスク等の記憶装置等から構成された情報通信端末でもよい。例えば、ユーザ装置１０のアプリケーション部１０１、ベースバンド信号処理部１０３等は、プロセッサと記憶装置又はメモリ装置とによって構成され、記憶装置又はメモリ装置に記憶されているデータやプログラムをプロセッサが実行することによって実現されてもよい。
【００３９】
基地局ｅＮＢ又は他ユーザ装置から受信したデータについては、送受信アンテナで受信された無線周波数信号がアンプ部１０７で増幅され、送受信部１０５で周波数変換されてベースバンド信号に変換される。このベースバンド信号は、ベースバンド信号処理部１０３でＦＦＴ処理や、誤り訂正復号、再送制御の受信処理等がなされる。受信処理されたデータのうち、下りリンクのデータは、アプリケーション部１０１に転送される。アプリケーション部１０１は、物理レイヤやＭＡＣレイヤより上位のレイヤに関する処理等を行う。
【００４０】
一方、基地局ｅＮＢ又は他ユーザ装置に送信するデータは、アプリケーション部１０１からベースバンド信号処理部１０３に入力される。ベースバンド信号処理部１０３においては、再送制御の送信処理や、チャネル符号化、ＤＦＴ（Ｄｉｓｃｒｅｔｅ  Ｆｏｕｒｉｅｒ  Ｔｒａｎｓｆｏｒｍ）処理、ＩＦＦＴ（Ｉｎｖｅｒｓｅ  Ｆａｓｔ  Ｆｏｕｒｉｅｒ  Ｔｒａｎｓｆｏｒｍ）処理を行う。送受信部１０５は、ベースバンド信号処理部１０３から出力されたベースバンド信号を無線周波数帯に変換する。その後、アンプ部１０７で増幅されて送受信アンテナより送信される。なお、複数の送受信アンテナが用いられる場合、複数の送受信部１０５及びアンプ部１０７が存在してもよい。
【００４１】
本発明の実施例では、ベースバンド信号処理部１０３において送信用リソース及び受信用リソースの決定が行われる。以下、ベースバンド信号処理部１０３の構成を詳細に説明する。
【００４２】
図４は、本発明の実施例に係るユーザ装置１０におけるベースバンド信号処理部１０３の構成図である。ベースバンド信号処理部１０３は、制御部１０３１と、送信信号生成部１０３２と、マッピング部１０３３と、下りリンク（ＤＬ）信号復号部／Ｄ２Ｄ信号復号部１０３４と、判定部１０３５とを有する。図４に示すベースバンド信号処理部１０３では、送信信号生成部１０３２、下りリンク（ＤＬ）信号復号部／Ｄ２Ｄ信号復号部１０３４及び判定部１０３５において、Ｄ２Ｄ通信のための処理とセルラ通信のための処理との双方が行われるが、これらの機能部はＤ２Ｄ通信とセルラ通信とで別々に設けられてもよい。
【００４３】
制御部１０３１は、ベースバンド信号処理部１０３の全体の管理を行う。上りリンクにより基地局ｅＮＢに送信する信号又は他ユーザ装置に送信する信号については、アプリケーション部１０１から入力されたデータを送信信号生成部１０３２に入力する。下りリンクにより基地局ｅＮＢから受信した信号又は他ユーザ装置から受信した信号については、ＤＬ信号復号部／Ｄ２Ｄ信号復号部１０３４で受信処理されたデータをアプリケーション部１０１に入力する。
【００４４】
また、制御部１０３１は、自ユーザ装置１０の送信用リソース及び受信用リソースを決定する。ユーザ装置１０の送信用リソース及び受信用リソースは、ユーザ装置１０自体が決定して他ユーザ装置に通知してもよく、他ユーザ装置又は基地局から通知された送信用リソース及び受信用リソースの情報に基づいて決定してもよい。上記のように、送信用リソース及び受信用リソースは、Ｄ２Ｄリソースプールのサブフレーム単位、ＳＡを送信する周期（ＳＡ周期）単位、又はＤ２Ｄリソースプール単位で直交化される。また、制御部１０３１は、送信用リソースを決定する動作として、次回以降のＳＡ周期においてもＴ−ＲＰＴを変更しないことを決定してもよい。
【００４５】
送信信号生成部１０３２は、基地局ｅＮＢ又は他ユーザ装置に送信する信号を生成する。基地局ｅＮＢに送信する信号には、データ及び制御情報が含まれ、ＷＡＮのリソースで送信される。他ユーザ装置に送信する信号には、ＰＤ２ＤＳＣＨ、Ｄ２ＤＳＳ、ＳＡ／データ、Ｄｉｓｃｏｖｅｒｙ信号が含まれ、Ｄ２Ｄリソースプール内のリソースで送信される。ユーザ装置１０自体がユーザ装置１０の送信用リソース及び受信用リソースを決定して他ユーザ装置に通知する場合、送信信号生成部１０３２は、制御部１０３１により決定された送信用リソース及び受信用リソースのうち少なくとも一方を示す情報を生成する。
【００４６】
マッピング部１０３３は、送信信号生成部１０３２で生成された信号を基地局ｅＮＢに送信する場合には、基地局ｅＮＢのスケジューリング部で決定されたＷＡＮのリソースにマッピングする。また、マッピング部１０３３は、送信信号生成部１０３２で生成された信号を他ユーザ装置に送信する場合には、自ユーザ装置１０の送信用リソースにマッピングする。適切なリソースにマッピングされた信号は、送受信部１０５、アンプ部１０７及び送受信アンテナを介して基地局ｅＮＢ又は他ユーザ装置に送信される。
【００４７】
ＤＬ信号復号部／Ｄ２Ｄ信号復号部１０３４は、下りリンクにより基地局ｅＮＢから受信した信号を受信し、ＰＤＳＣＨ（Ｐｈｙｓｉｃａｌ  Ｄｏｗｎｌｉｎｋ  Ｓｈａｒｅｄ  Ｃｈａｎｎｅｌ）で受信したデータは、アプリケーション部１０１に提供するために制御部１０３１に入力する。また、ＤＬ信号復号部／Ｄ２Ｄ信号復号部１０３４は、他ユーザ装置から受信した信号を受信し、受信した信号に含まれるデータは、アプリケーション部１０１に提供するために制御部１０３１に入力する。他ユーザ装置又は基地局から送信用リソース又は受信用リソースが通知される場合、他ユーザ装置又は基地局から受信する信号に、送信用リソース及び受信用リソースのうち少なくとも一方を示す情報が含まれる。
【００４８】
判定部１０３５は、ＰＤＳＣＨで受信した信号の再送判定を行う。ＰＤＳＣＨの受信に成功した場合、再送の必要がないことを示す送達確認情報（ＡＣＫ）を生成し、ＰＵＳＣＨの受信に失敗した場合、再送の必要があることを示す送達確認情報（ＮＡＣＫ）を生成する。また、判定部１０３５は、受信したＤ２Ｄ信号の再送判定を行う。Ｄ２Ｄ信号の受信に成功した場合、再送の必要がないことを示す送達確認情報（ＡＣＫ）を生成し、Ｄ２Ｄ信号の受信に失敗した場合、再送の必要があることを示す送達確認情報（ＮＡＣＫ）を生成する。
【００４９】
図５は、本発明の実施例に係るユーザ装置１０におけるＤ２Ｄ通信方法を示すフローチャートである。
【００５０】
ユーザ装置１０の制御部１０３１は、制御部１０３１自体の判断により、或いは、他ユーザ装置又は基地局から通知に基づいて、送信用リソース及び受信用リソースを決定する（Ｓ１０１）。制御部１０３１自体の判断で送信用リソース及び受信用リソースを決定する場合、送信用リソース及び受信用リソースのうち少なくとも一方を示す情報は、他ユーザ装置に送信される。
【００５１】
送信用リソースのサブフレームである場合（Ｓ１０３：ＹＥＳ）、ユーザ装置１０の制御部１０３１は、送受信部１０５を送信側の処理に切り替える（Ｓ１０５）。一方、受信用リソースのサブフレームである場合（Ｓ１０３：ＮＯ）、ユーザ装置１０の制御部１０３１は、送受信部１０５を受信側の処理に切り替える（Ｓ１０７）。
【００５２】
このように、送信用リソースにおいて送信処理を行い、受信用リソースにおいて受信処理を行うことで、Ｄ２Ｄ通信におけるユーザ装置ＵＥ間での送信用リソースの衝突を回避する。
【００５３】
＜リレー端末ＵＥ１の選択＞
次に、リレー端末ＵＥ１の選択、アクセスリンクの品質を測定するための同期信号又は参照信号のリソース及びリレー端末ＵＥ１の選択又は再選択、Ｄ２Ｄリレーにおける接続管理について、図６及び７を参照して説明する。
【００５４】
図６及び７は、本発明の実施例に係る通信システムにおけるＤ２Ｄリレーの手順を示すシーケンス図である。図６は、リモート端末ＵＥ２においてリレー端末ＵＥ１を選択する例を示しており、図７は、基地局ｅＮＢにおいてリレー端末ＵＥ１を選択する例を示している。
【００５５】
図６を参照して、リモート端末ＵＥ２がリレー端末ＵＥ１を選択する場合について説明する。
【００５６】
Ｄ２Ｄリレーの実現のためには、リモート端末ＵＥ２が中継機能を有するリレー端末が近くに存在することを検出し、その中から実際にＤ２Ｄ信号を送信する送信先のリレー端末ＵＥ１を選択する必要がある。
【００５７】
このため、リレー端末ＵＥ１は、Ｄ２Ｄ信号を基地局に中継する機能があることを示す情報（Ｄ２Ｄリレー可否）をリモート端末ＵＥ２に通知してもよい（Ｓ２０１）。Ｄ２Ｄリレー可否の通知には、Ｄ２ＤＳＳ又はＰＤ２ＤＳＣＨが用いられてもよく、ユーザ装置ＵＥ間で共通に使用されるＤｉｓｃｏｖｅｒｙ信号が用いられてもよい。
【００５８】
図２を参照して説明したように、Ｄ２ＤＳＳ／ＰＤ２ＤＳＣＨ、Ｄｉｓｃｏｖｅｒｙ信号等はＤ２Ｄリソースプール内で周期的に送信される。Ｄ２Ｄリレー可否にＤ２ＤＳＳ／ＰＤ２ＤＳＣＨが用いられる場合、Ｄｉｓｃｏｖｅｒｙ信号のリソースに紐付いたＤ２ＤＳＳ／ＰＤ２ＤＳＣＨにおいてＤ２Ｄリレー可否が送信されてもよい。例えば、Ｄ２ＤＳＳにおいてＤ２Ｄリレー可否を示す専用の系列が用いられてもよく、Ｄｉｓｃｏｖｅｒｙに付随するＤ２ＤＳＳでＤ２Ｄリレー可否を示す専用の系列が用いられてもよい。あるいは、ＰＤ２ＤＳＣＨを用いて通知してもよい。Ｄ２Ｄリレー可否を示す専用のＤ２ＤＳＳないしＰＤ２ＤＳＣＨは、リモート端末ＵＥ２のブラインド検出を可能にするため、例えば、送信リソース、ビット数、参照信号の系列等のフォーマットを変えることで区別されてもよい。更に、Ｄ２Ｄリレー可否の通知にＰＤ２ＤＳＨが用いられる場合、ＰＤ２ＤＳＣＨには、以下に説明するリモート端末ＵＥ２がリレー端末ＵＥ２にＤ２Ｄリレー要求を送信するときのリソース情報が含まれてもよいし、上記Ｄ２ＤＳＳ／ＰＤ２ＤＳＣＨが送信された時間・周波数リソースにもとづいてＤ２Ｄリレー要求を送信するリソースが決定されてもよい。
【００５９】
リモート端末ＵＥ２は、リレー端末ＵＥ１に対してＤ２Ｄ信号の基地局ｅＮＢへの中継要求（Ｄ２Ｄリレー要求）を送信する（Ｓ２０３）。不要なＤ２Ｄリレー要求の送信を回避するため、上記のＤ２Ｄリレー可否を受信したリモート端末ＵＥ２のみがＤ２Ｄリレー要求を送信してもよい。また、ＰＤ２ＤＳＣＨにおいてＤ２Ｄリレー要求を送信するときのリソース情報が通知されている場合、リモート端末ＵＥ２は、ＰＤ２ＤＳＣＨで通知されたリソース情報に基づいて、Ｄ２Ｄリレー要求を送信してもよい。或いは、リモート端末ＵＥ２は、Ｄ２Ｄリレー可否を示すＤ２ＤＳＳ／ＰＤ２ＤＳＣＨが送信された時間・周波数リソースに基づいてＤ２Ｄリレー要求を送信するリソースを決定し、Ｄ２Ｄリレー要求を送信してもよい。Ｄ２Ｄリレー要求には、リモート端末ＵＥ２が必要とするバックホールリンクの容量が含まれてもよい。Ｄ２Ｄリレー要求は、Ｄｉｓｃｏｖｅｒｙ信号により通知されてもよく、Ｃｏｍｍｕｎｉｃａｔｉｏｎにより通知されてもよい。送信先のユーザ装置ＵＥは、特定のリレー端末ＵＥ１でもよく、複数のユーザ装置ＵＥでもよい。複数のユーザ装置ＵＥにＤ２Ｄリレー要求を送信する場合、複数のユーザ装置ＵＥのそれぞれに個別に要求を送信してもよく、複数のユーザ装置ＵＥにブロードキャストしてもよい。
【００６０】
また、Ｄ２Ｄリレー要求には、Ｄ２Ｄリレー可否を受信したときのＤｉｓｃｏｖｅｒｙ信号の内容や、リソースインデックスに基づく情報を付与してもよい。Ｄｉｓｃｏｖｅｒｙ信号は複数のユーザ装置ＵＥにブロードキャストされるが、このような情報を付与することで、特定のユーザ装置ＵＥにＤ２Ｄリレー要求を送信することが可能になる。また、ＣｏｍｍｕｎｉｃａｔｉｏｎによりＤ２Ｄリレー要求を送信する場合、送信先のユーザ装置ＵＥ又はそのアドレス等を特定せずにＤ２Ｄリレー要求を送信することが可能になる。
【００６１】
リモート端末ＵＥ２が特定のユーザ装置ＵＥにＤ２Ｄリレー要求を送信する場合、リモート端末ＵＥ２は、アクセスリンクの品質に基づいて、複数のユーザ装置ＵＥの中から、基地局ｅＮＢに送信すべきＤ２Ｄ信号の送信先のリレー端末ＵＥ１を選択してＤ２Ｄリレー要求を送信してもよい。アクセスリンクの品質に基づくリレー端末ＵＥ１の選択については、以下で詳細に説明する。
【００６２】
Ｄ２Ｄリレー要求を受信したリレー端末ＵＥ１は、Ｄ２Ｄリレーが可能であるという応答を送信してもよい（Ｓ２０５）。Ｄ２Ｄリレー要求にリモート端末ＵＥ２が必要とするバックホールリンクの容量が含まれる場合、このバックホールリンクの容量を満たすことができるときに、リレー端末ＵＥ１はＤ２Ｄリレーが可能であるという応答を送信してもよい。
【００６３】
リモート端末ＵＥ２が１つのユーザ装置ＵＥから応答を受信した場合、そのユーザ装置ＵＥを、基地局ｅＮＢに送信すべきＤ２Ｄ信号の送信先のリレー端末ＵＥ１として選択してもよく、複数のユーザ装置ＵＥから応答を受信した場合、アクセスリンクの品質に基づいて、基地局ｅＮＢに送信すべきＤ２Ｄ信号の送信先のリレー端末ＵＥ１を選択してもよい（Ｓ２０７）。例えば、リモート端末ＵＥ２は、アクセスリンクで送信される同期信号又は参照信号の品質を測定し、アクセスリンクの品質が最大のユーザ装置又はアクセスリンクの品質が閾値より大きいユーザ装置をリレー端末ＵＥ１として選択してもよい。このようなアクセスリンクの最適化を行うため、リレー端末ＵＥ１がリモート端末ＵＥ２からの要求に関わらず、基地局ｅＮＢの指示に基づき、周期的にリレー可能であることを端末個別のＤｉｓｃｏｖｅｒｙにより通知することで、前述のＤ２Ｄリレー可否とアクセスリンクの品質測定の双方を実現してもよい。
【００６４】
また、リモート端末ＵＥ２は、Ｄ２Ｄリレー可否（Ｓ２０１）、Ｄ２Ｄリレー要求に対する応答（Ｓ２０３）等において、カバレッジ内のユーザ装置ＵＥからバックホールリンクの品質を受信してもよい。この場合、リモート端末ＵＥ２は、バックホールリンクの品質とアクセスリンクの品質とに基づいてリレー端末ＵＥ１を選択することが可能になる。例えば、リモート端末ＵＥ２は、バックホールリンクの品質が閾値より大きく、アクセスリンクの品質が最大のユーザ装置又はアクセスリンクの品質が閾値より大きいユーザ装置を、基地局ｅＮＢに送信すべきＤ２Ｄ信号の送信先のリレー端末ＵＥ１として選択してもよい。
【００６５】
その後、リレーの形態に応じて端末間で接続設定が行われる（Ｓ２０９）。例えばＩＰレイヤでリレーを行う場合、リレー端末ＵＥ１とリモート端末ＵＥ２との間でＩＰアドレスの設定等が行われる。リレー端末ＵＥ１は、リモート端末ＵＥ２のリレー端末として動作すること、すなわち、リモート端末ＵＥ２からのＤ２Ｄ信号を基地局ｅＮＢに中継することを基地局ｅＮＢに報告してもよい（Ｓ２１１）。このようにして、Ｄ２Ｄリレーが実現される（Ｓ２１３）。例えば、Ｄ２Ｄリレーの実施（Ｓ２１３）に際して、ＭＭＥ（Ｍｏｂｉｌｉｔｙ  Ｍａｎａｇｅｍｅｎｔ  Ｅｎｔｉｔｙ）、基地局ｅＮＢ、リレー端末ＵＥ１及びリモート端末ＵＥ２の間に、ＩＰレイヤのトンネリングが設定されてもよい。
【００６６】
また、Ｓ２１１においてリレー端末ＵＥ１がＤ２Ｄリレーを実施することを基地局ｅＮＢに報告する代わりに、Ｄ２Ｄリレーのトンネリングが設定された後に、コアネットワーク（例えば、ＭＭＥ）から基地局ｅＮＢにリレー端末ＵＥ１がＤ２Ｄリレーを実施していることを通知してもよい。
【００６７】
図６のＳ２１５〜Ｓ２２１については、以下で詳細に説明する。
【００６８】
次に、図７を参照して、基地局ｅＮＢがリレー端末ＵＥ１を選択する場合について説明する。
【００６９】
図６のＳ２０１と同様に、リレー端末ＵＥ１は、Ｄ２Ｄリレー可否をリモート端末ＵＥ２に通知してもよい（Ｓ３０１）。
【００７０】
また、図６のＳ２０３と同様に、リモート端末ＵＥ２は、リレー端末ＵＥ１に対してＤ２Ｄリレー要求を送信する（Ｓ３０３）。
【００７１】
Ｄ２Ｄリレー要求を受信したリレー端末ＵＥ１は、リモート端末ＵＥ２との間のアクセスリンクの品質を測定し（Ｓ３０５）、品質測定結果を基地局ｅＮＢに通知する（Ｓ３０７）。アクセスリンクの品質はリレー端末ＵＥ１自体で測定された品質でもよく、リモート端末ＵＥ２が測定してリレー端末ＵＥ１に通知した品質でもよい。このとき、リレー端末ＵＥ１は、基地局ｅＮＢとの間のバックホールリンクの品質も通知してもよい。また、リレー端末ＵＥ１は、アクセスリンクやバックホールリンクに対する所要データレートや品質も通知してもよい。
【００７２】
基地局ｅＮＢは、バックホールリンクの品質とアクセスリンクの品質とに基づいて、リレー端末ＵＥ１を選択する（Ｓ３０９）。例えば、アクセスリンクの品質が良好であっても、バックホールリンクの品質が悪いユーザ装置は、Ｄ２Ｄリレーには適していないと考えられる。例えば、基地局ｅＮＢは、バックホールリンクの品質が閾値より大きく、アクセスリンクの品質が最大のユーザ装置又はアクセスリンクの品質が閾値より大きいユーザ装置を、リレー端末ＵＥ１として選択してもよい。また要求されたデータレートや品質を満たせない場合、基地局ｅＮＢはＤ２Ｄリレーを拒否できてもよい。
【００７３】
基地局ｅＮＢは、選択したリレー端末ＵＥ１に対して、Ｄ２Ｄリレーの動作を指示し（Ｓ３１１）、リレー端末ＵＥ１とリモート端末ＵＥ２との間でＩＰアドレスの設定等の接続設定が行われる（Ｓ３１２）。このようにして、Ｄ２Ｄリレーが実現される（Ｓ３１３）。
【００７４】
図７のＳ３１５〜Ｓ３２１については、以下で詳細に説明する。
【００７５】
次に、リモート端末ＵＥ２の構成について説明する。リモート端末ＵＥ２も、図３と同様に、アプリケーション部１０１と、ベースバンド信号処理部１０３と、送受信部１０５と、アンプ部１０７とを有する。
【００７６】
ただし、ベースバンド信号処理部１０３において、Ｄ２Ｄリレー要求の実施、リレー端末ＵＥ１の選択、アクセスリンクの品質測定等が行われる。以下、ベースバンド信号処理部１０３の構成を詳細に説明する。
【００７７】
図８は、本発明の実施例に係るユーザ装置１０（リモート端末ＵＥ２）におけるベースバンド信号処理部１０３の構成図である。ベースバンド信号処理部１０３は、図４に示すベースバンド信号処理部１０３に加えて、リレー端末選択部１０３０と、アクセスリンク品質測定部１０３６とを有する。以下の説明では、図４に示すベースバンド信号処理部１０３と異なる点について説明する。
【００７８】
リレー端末選択部１０３０は、基地局ｅＮＢに送信すべきＤ２Ｄ信号の送信先のリレー端末ＵＥ１を選択する。リレー端末選択部１０３０は、Ｄ２Ｄリレー要求を送信するときに、基地局ｅＮＢに送信すべきＤ２Ｄ信号の送信先のリレー端末ＵＥ１を選択してもよく、Ｄ２Ｄリレー要求に対する応答を受信したユーザ装置ＵＥの中から、基地局ｅＮＢに送信すべきＤ２Ｄ信号の送信先のリレー端末ＵＥ１を選択してもよい。リレー端末選択部１０３０は、アクセスリンクの品質に基づいてリレー端末ＵＥ１を選択してもよい。また、リレー端末選択部１０３０は、カバレッジ内のユーザ装置ＵＥからバックホールリンクの品質を受信している場合、バックホールリンクの品質とアクセスリンクの品質とに基づいてリレー端末ＵＥ１を選択してもよい。
【００７９】
制御部１０３１は、ベースバンド信号処理部１０３の全体の管理を行う。リレー端末ＵＥ１に送信する信号については、アプリケーション部１０１から入力されたデータを送信信号生成部１０３２に入力する。リレー端末ＵＥ１から受信した信号については、ＤＬ信号復号部／Ｄ２Ｄ信号復号部１０３４で受信処理されたデータをアプリケーション部１０１に入力する。
【００８０】
また、制御部１０３１は、基地局ｅＮＢに送信すべきデータが存在する場合、送信信号生成部１０３２に対してＤ２Ｄリレー要求のためのＤｉｓｃｏｖｅｒｙ信号又はＣｏｍｍｕｎｉｃａｔｉｏｎのＳＡ／データの生成を指示する。Ｄ２Ｄリレー可否をユーザ装置ＵＥから受信している場合、制御部１０３１は、Ｄ２Ｄリレー可否を受信したユーザ装置ＵＥに対してＤ２Ｄリレー要求を行ってもよい。
【００８１】
また、制御部１０３１は、リレー端末選択部１０３０において選択されたリレー端末ＵＥ１及び基地局ｅＮＢとの間に接続を設定する接続管理部１０３７を有する。例えばＩＰレイヤでリレーを行う場合、接続管理部１０３７は、リレー端末ＵＥ１との間のＩＰアドレスの設定、ＭＭＥまでのＩＰレイヤのトンネリングの設定等を行う。
【００８２】
送信信号生成部１０３２は、リレー端末ＵＥ１に送信する信号を生成する。リレー端末ＵＥ１に送信する信号には、Ｄ２Ｄリレー要求のためのＤｉｓｃｏｖｅｒｙ信号又はＣｏｍｍｕｎｉｃａｔｉｏｎのＳＡ／データと、基地局ｅＮＢに送信すべきデータが含まれる。
【００８３】
マッピング部１０３３は、送信信号生成部１０３２で生成された信号を、Ｄ２Ｄリソースプール内のリソースにマッピングする。
【００８４】
ＤＬ信号復号部／Ｄ２Ｄ信号復号部１０３４は、リレー端末ＵＥ１から受信した信号を受信し、受信した信号に含まれるデータは、アプリケーション部１０１に提供するために制御部１０３１に入力する。リレー端末ＵＥ１から受信する信号には、Ｄ２Ｄリレー可否、Ｄ２Ｄリレー要求に対する応答等が含まれる。
【００８５】
アクセスリンク品質測定部１０３６は、リレー端末ＵＥ１との間のアクセスリンクの品質を測定する。アクセスリンクの品質の測定には、Ｄ２ＤＳＳ、ＤＭ−ＲＳ（Ｄｅｍｏｄｕｌａｔｉｏｎ  Ｒｅｆｅｒｅｎｃｅ  Ｓｉｇｎａｌ）又はＳＲＳ（Ｓｏｕｎｄｉｎｇ  Ｒｅｆｅｒｅｎｃｅ  Ｓｉｇｎａｌ）のような同期信号又は参照信号が用いられる。測定されたアクセスリンクの品質は、リレー端末ＵＥ１の選択のため、制御部１０３１を介してリレー端末選択部１０３０に入力される。
【００８６】
次に、リレー端末ＵＥ１の構成について説明する。リレー端末ＵＥ１も、図３と同様に、アプリケーション部１０１と、ベースバンド信号処理部１０３と、送受信部１０５と、アンプ部１０７とを有する。
【００８７】
ただし、ベースバンド信号処理部１０３において、Ｄ２Ｄリレー可否の決定、リモート端末ＵＥ２と基地局ｅＮＢとの間でのＤ２Ｄリレーの実施、アクセスリンクの品質測定等が行われる。以下、ベースバンド信号処理部１０３の構成を詳細に説明する。
【００８８】
リレー端末ＵＥ１のベースバンド信号処理部１０３は、図４に示すベースバンド信号処理部１０３と同様に構成される。以下の説明では、図４に示すベースバンド信号処理部１０３と異なる点について説明する。
【００８９】
制御部１０３１は、ベースバンド信号処理部１０３の全体の管理を行う。上りリンクにより基地局ｅＮＢに送信する信号又はリモート端末ＵＥ２に送信する信号については、アプリケーション部１０１から入力されたデータを送信信号生成部１０３２に入力する。下りリンクにより基地局ｅＮＢから受信した信号又はリモート端末ＵＥ２から受信した信号については、ＤＬ信号復号部／Ｄ２Ｄ信号復号部１０３４で受信処理されたデータをアプリケーション部１０１に入力する。
【００９０】
また、制御部１０３１は、Ｄ２Ｄリレーの動作をリモート端末ＵＥ２の選択又は基地局ｅＮＢの選択により指示された場合、リモート端末ＵＥ２から送信されてＤＬ信号復号部／Ｄ２Ｄ信号復号部１０３４で受信処理された基地局ｅＮＢ宛のデータを、送信信号生成部１０３２に入力する。また、制御部１０３１は、Ｄ２Ｄリレーの動作をリモート端末ＵＥ２の選択又は基地局ｅＮＢの選択により指示された場合、基地局ｅＮＢから送信されてＤＬ信号復号部／Ｄ２Ｄ信号復号部１０３４で受信処理されたリモート端末ＵＥ２宛のデータを、送信信号生成部１０３２に入力する。
【００９１】
また、制御部１０３１は、リモート端末ＵＥ２及び基地局ｅＮＢとの間に接続を設定する接続管理部（図示せず）を有する。接続管理部は、リモート端末ＵＥ２によるリレー端末ＵＥ１の選択又は基地局ｅＮＢによるリレー端末ＵＥ１の選択に基づいて接続を設定してもよい。
【００９２】
送信信号生成部１０３２は、基地局ｅＮＢ又はリモート端末ＵＥ２に送信する信号を生成する。基地局ｅＮＢに送信する信号には、バックホールリンクの所要データレートや品質、アクセスリンクの所要データレートや品質、リレー端末として動作することの報告等が含まれてもよい。リモート端末ＵＥ２に送信する信号には、Ｄ２Ｄリレー可否、リモート端末ＵＥ２からのＤ２Ｄリレー要求に対する応答等が含まれる。
【００９３】
マッピング部１０３３は、送信信号生成部１０３２で生成された信号を基地局ｅＮＢに送信する場合には、基地局ｅＮＢのスケジューリング部で決定されたＷＡＮのリソースにマッピングする。また、マッピング部１０３３は、送信信号生成部１０３２で生成された信号をリモート端末ＵＥ２に送信する場合には、Ｄ２Ｄリソースプール内のリソースにマッピングする。
【００９４】
ＤＬ信号復号部／Ｄ２Ｄ信号復号部１０３４は、下りリンクにより基地局ｅＮＢから受信した信号を受信して制御部１０３１に入力し、また、リモート端末ＵＥ２から受信した信号を受信して制御部１０３１に入力する。基地局ｅＮＢから受信する信号には、基地局ｅＮＢによりリレー端末ＵＥ１が選択されたときのＤ２Ｄリレーの動作の指示等が含まれる。また、リモート端末ＵＥ２から受信する信号には、Ｄ２Ｄリレー要求のためのＤｉｓｃｏｖｅｒｙ信号又はＣｏｍｍｕｎｉｃａｔｉｏｎのＳＡ／データと、基地局ｅＮＢに送信すべきデータが含まれる。また、ＤＬ信号復号部／Ｄ２Ｄ信号復号部１０３４は、リモート端末ＵＥ２から受信した信号を受信し、基地局ｅＮＢに中継すべきデータは、送信信号生成部１０３２に提供するために制御部１０３１に入力する。更に、ＤＬ信号復号部／Ｄ２Ｄ信号復号部１０３４は、基地局ｅＮＢから受信した信号を受信し、リモート端末ＵＥ２に中継すべきデータは、送信信号生成部１０３２に提供するために制御部１０３１に入力する。
【００９５】
また、リレー端末ＵＥ１のベースバンド信号処理部１０３は、品質測定部（図示せず）が含まれてもよい。品質測定部は、リモート端末ＵＥ２との間のアクセスリンクの品質を測定するとともに、基地局ｅＮＢとの間のバックホールリンクの品質を測定する。アクセスリンク及びバックホールリンクの品質の測定には、Ｄ２ＤＳＳ、ＤＭ−ＲＳ又はＳＲＳのような同期信号又は参照信号が用いられる。測定されたアクセスリンクの品質及びバックホールリンクの品質は、基地局ｅＮＢ又はリモート端末ＵＥ２に送信するため、制御部１０３１を介して送信信号生成部１０３２に入力される。
【００９６】
次に、基地局ｅＮＢの構成について説明する。
【００９７】
図９は、本発明の実施例に係る基地局（ｅＮＢ）２０の構成図である。基地局２０は、伝送路インターフェース２０１と、ベースバンド信号処理部２０３と、呼処理部２０５と、送受信部２０７と、アンプ部２０９とを有する。基地局２０は、ＣＰＵ（Ｃｅｎｔｒａｌ  Ｐｒｏｃｅｓｓｉｎｇ  Ｕｎｉｔ）等のプロセッサ、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等のメモリ装置、ハードディスク等の記憶装置等から構成された通信装置でもよい。例えば、基地局２０のベースバンド信号処理部２０３、呼処理部２０５等は、プロセッサと記憶装置又はメモリ装置とによって構成され、記憶装置又はメモリ装置に記憶されているデータやプログラムをプロセッサが実行することによって実現されてもよい。
【００９８】
下りリンクにより基地局２０からユーザ装置ＵＥに送信されるデータは、上位局装置から伝送路インターフェース２０１を介してベースバンド信号処理部２０３に入力される。
【００９９】
ベースバンド信号処理部２０３では、ＰＤＣＰ（Ｐａｃｋｅｔ  Ｄａｔａ  Ｃｏｎｖｅｒｇｅｎｃｅ  Ｐｒｏｔｏｃｏｌ）レイヤの処理、データの分割・結合、ＲＬＣ（Ｒａｄｉｏ  Ｌｉｎｋ  Ｃｏｎｔｒｏｌ）再送制御の送信処理などのＲＬＣレイヤの送信処理、ＭＡＣ（Ｍｅｄｉｕｍ  Ａｃｃｅｓｓ  Ｃｏｎｔｒｏｌ）再送制御、例えば、ＨＡＲＱ（Ｈｙｂｒｉｄ  Ａｕｔｏｍａｔｉｃ  Ｒｅｐｅａｔ  ｒｅＱｕｅｓｔ）の送信処理、スケジューリング、伝送フォーマット選択、チャネル符号化、逆高速フーリエ変換（ＩＦＦＴ）処理、プリコーディング処理が行われる。また、下りリンク制御チャネルである物理下りリンク制御チャネルの信号に関しても、チャネル符号化や逆高速フーリエ変換等の送信処理が行われる。
【０１００】
呼処理部２０５は、通信チャネルの設定や解放等の呼処理や、基地局２０の状態管理や、無線リソースの管理を行う。
【０１０１】
送受信部２０７は、ベースバンド信号処理部２０３から出力されたベースバンド信号を無線周波数帯に周波数変換する。アンプ部２０９は周波数変換された送信信号を増幅して送受信アンテナへ出力する。なお、複数の送受信アンテナが用いられる場合、複数の送受信部２０７及びアンプ部２０９が存在してもよい。
【０１０２】
一方、上りリンクによりユーザ装置ＵＥから基地局２０に送信される信号については、送受信アンテナで受信された無線周波数信号がアンプ部２０９で増幅され、送受信部２０７で周波数変換されてベースバンド信号に変換され、ベースバンド信号処理部２０３に入力される。
【０１０３】
ベースバンド信号処理部２０３は、上りリンクで受信したベースバンド信号に含まれるデータに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０１を介して上位局装置に転送される。
【０１０４】
図１０は、本発明の実施例に係る基地局２０におけるベースバンド信号処理部２０３の構成図である。ベースバンド信号処理部１０３は、スケジューリング部２０３０と、制御部２０３１と、下りリンク（ＤＬ）信号生成部２０３２と、マッピング部２０３３と、上りリンク（ＵＬ）信号復号部２０３４と、判定部２０３５とを有する。
【０１０５】
スケジューリング部２０３０は、ユーザ装置ＵＥに対して下りリンクのデータを送信するため又はユーザ装置ＵＥから上りリンクのデータを受信するため、ユーザ装置ＵＥに対してリソースを割り当てる。スケジューリング部２０３０は、複数のリレー端末の候補からリレー端末ＵＥ１を選択するリレー端末選択部２０３６を有してもよい。リレー端末選択部２０３６は、バックホールリンクの品質とアクセスリンクの品質とに基づいて、リレー端末ＵＥ１を選択する。このとき、バックホールリンク又はアクセスリンクの所要データレートも考慮してもよい。リレー端末選択部２０３６は、要求されたデータレートや品質を満たせないと判断した場合、リレー端末ＵＥ１を選択せずにＤ２Ｄリレーを拒否してもよい。
【０１０６】
制御部２０３１は、ベースバンド信号処理部２０３の全体の管理を行う。下りリンクによりユーザ装置に送信する信号については、伝送路インターフェース２０１から入力されたデータをＤＬ信号生成部２０３２に入力する。上りリンクによりユーザ装置から受信した信号については、ＵＬ信号復号部２０３４で復号されたデータを伝送路インターフェース２０１に入力する。制御部２０３１は、リレー端末選択部２０３６においてリレー端末ＵＥ１を選択した場合、Ｄ２Ｄのリレーの動作を指示するための信号を生成するようにＤＬ信号生成部２０３２に指示する。
【０１０７】
ＤＬ信号生成部２０３２は、ユーザ装置に送信する信号を生成する。ユーザ装置に送信する信号には、データ及び制御情報が含まれ、データは主にＰＤＳＣＨ（Ｐｈｙｓｉｃａｌ  Ｄｏｗｎｌｉｎｋ  Ｓｈａｒｅｄ  Ｃｈａｎｎｅｌ）で送信され、ＰＤＳＣＨを受信するために必要な割り当て情報は、ＰＤＣＣＨ（Ｐｈｙｓｉｃａｌ  Ｄｏｗｎｌｉｎｋ  Ｃｏｎｔｒｏｌ  Ｃｈａｎｎｅｌ）又はｅＰＤＣＣＨ（ｅｎｈａｎｃｅｄ  ＰＤＣＣＨ）で送信される。特に、リレー端末ＵＥ１に送信する信号には、リレー端末ＵＥ１に送信するデータ及び制御情報に加えて、リモート端末ＵＥ２に送信するデータ及び制御情報も含まれる。更に、基地局ｅＮＢがリレー端末選択部２０３６においてリレー端末ＵＥ１を選択した場合、リレー端末ＵＥ１に送信する信号には、Ｄ２Ｄリレーの動作の指示等が含まれる。
【０１０８】
マッピング部２０３３は、ユーザ装置に送信するデータをスケジューリング部２０３０で決定されたリソースに配置する。
【０１０９】
ＵＬ信号復号部２０３４は、上りリンクによりユーザ装置から受信した信号を復号する。ＰＵＳＣＨ（Ｐｈｙｓｉｃａｌ  Ｕｐｌｉｎｋ  Ｓｈａｒｅｄ  Ｃｈａｎｎｅｌ）で受信したデータは、伝送路インターフェース２０１に提供するために制御部２０３１に入力し、ＰＵＣＣＨ（Ｐｈｙｓｉｃａｌ  Ｕｐｌｉｎｋ  Ｃｏｎｔｒｏｌ  Ｃｈａｎｎｅｌ）で受信した送達確認情報（ＡＣＫ／ＮＡＣＫ）も、ＨＡＲＱ等の再送処理のために制御部２０３１に入力する。特に、リレー端末ＵＥ１から受信する信号には、リレー端末ＵＥ１が送信するデータ及び制御情報に加えて、リモート端末ＵＥ２がＤ２Ｄリレーによってリレー端末ＵＥ１に送信するデータ及び制御情報も含まれる。更に、リモート端末ＵＥ２がリレー端末ＵＥ１を選択した場合、リレー端末ＵＥ１から受信する信号には、Ｄ２Ｄリレーの動作の報告等が含まれる。
【０１１０】
判定部２０３５は、ＰＵＳＣＨで受信した信号の再送判定を行う。ＰＵＳＣＨの受信に成功した場合、再送の必要がないことを示す送達確認情報（ＡＣＫ）を生成し、ＰＵＳＣＨの受信に失敗した場合、再送の必要があることを示す送達確認情報（ＮＡＣＫ）を生成する。
【０１１１】
＜アクセスリンクの品質を測定するための同期信号又は参照信号のリソース及びリレー端末ＵＥ１の選択又は再選択＞
複数のユーザ装置の中からリレー端末ＵＥ１を選択するためには、リレー端末ＵＥ１とリモート端末ＵＥ２とのアクセスリンクの品質を測定する必要がある。アクセスリンクの品質の測定には、Ｄ２ＤＳＳ、ＤＭ−ＲＳ又はＳＲＳのような同期信号又は参照信号が用いられてもよい。
【０１１２】
アクセスリンクの品質の測定に参照信号が用いられる場合、参照信号が含まれるＤｉｓｃｏｖｅｒｙ信号にはリソースの制約があるため、品質測定を向上させるための参照信号のリソースを規定する必要がある。
【０１１３】
アクセスリンクの品質にＤＭ−ＲＳが用いられる場合について説明する。ＤＭ−ＲＳはアクセスリンクにおいてデータが送信される場合に送信されるため、品質測定に十分なＤＭ−ＲＳが存在しない可能性がある。このため、アクセスリンクの品質のためのＤＭ−ＲＳが追加で規定されてもよい。
【０１１４】
次にアクセスリンクの品質にＳＲＳが用いられる場合について説明する。この場合、アクセスリンクの品質のために規定されたＳＲＳが用いられてもよく、バックホールリンクで送信されているＳＲＳが用いられてもよい。アクセスリンクの品質のために規定されたＳＲＳは、例えば、Ｄ２Ｄリソースプールの最後に多重されてもよく、又は予め決められた任意の１つのサブフレームに多重されてもよい。ＳＲＳの構成を示すインデックス等がＤｉｓｃｏｖｅｒｙ信号やＣｏｍｍｕｎｉｃａｉｔｏｎ等によって通知されてもよい。ＳＲＳの構成は送受信アンテナの数等によって複雑になることが想定されるため、その構成を予め制限してもよい。
【０１１５】
また、アクセスリンクの品質の測定を向上させるために、上記のような参照信号が含まれるＤｉｓｃｏｖｅｒｙ信号が複数回繰り返し送信されてもよい。更に、参照信号の配置がサブフレームによって変わるホッピングが適用されてもよい。
【０１１６】
このような参照信号（ＤＭ−ＲＳ、アクセスリンクの品質測定用のＳＲＳ、バックホールリンクの品質測定用のＳＲＳ）の構成、Ｄｉｓｃｏｖｅｒｙ信号の繰り返し送信の数、ホッピングのパラメータは、Ｄｉｓｃｏｖｅｒｙ信号で通知されてもよく、ＰＤ２ＤＳＣＨで通知されてもよい。Ｄｉｓｃｏｖｅｒｙ信号の送信には、ユーザ装置ＵＥが自律的に送信リソースを選択するＴｙｐｅ  １と呼ばれる手順と、基地局ｅＮＢが送信リソースを選択するＴｙｐｅ  ２Ｂと呼ばれる手順が存在する。参照信号の構成、Ｄｉｓｃｏｖｅｒｙ信号の繰り返し送信の数、ホッピングのパラメータを通知するためのＤｉｓｃｏｖｅｒｙ信号には、リソースの衝突を避けるために、Ｔｙｐｅ  ２Ｂと呼ばれる手順が用いられてもよい。
【０１１７】
また、リモート端末ＵＥ２は、リレー端末ＵＥ１を最初に選択するためだけでなく、リレー端末ＵＥ１を再選択するために、上記の同期信号又は参照信号を使用してもよい。リモート端末ＵＥ２は、アクセスリンクの品質測定用の同期信号又は参照信号のリソースにおいて常に測定を実施してもよく、その一部で測定を実施してもよい（例えば、ある周期で測定の実施／不実施を切り替えてもよい）。
【０１１８】
また、リレー端末ＵＥ１は、リモート端末ＵＥ２における品質測定を優先させるため、Ｃｏｍｍｕｎｉｃａｔｉｏｎのリソースと、アクセスリンクの品質測定用の参照信号のリソースとが重複する場合には、Ｃｏｍｍｕｎｉｃａｔｉｏｎを行わないようにしてもよい。
【０１１９】
また、リレー端末ＵＥ１とＤ２Ｄ通信しているリモート端末ＵＥ２は、セルラ通信のカバレッジを検出できるように、異周波測定又はセルラ信号の測定を実施してもよい。異周波測定やセルラ通信のカバレッジの検出のための測定は、Ｄ２Ｄリソースプール外の時間で行われてもよい。
【０１２０】
図６及び図７を参照して、参照信号のリソースの通知及びリレー端末ＵＥ１の選択又は再選択について説明する。図６は、リレー端末ＵＥ１がリモート端末ＵＥ２に参照信号のリソースを通知し、リモート端末ＵＥ２がアクセスリンクの品質を測定する例を示しており、図７は、リモート端末ＵＥ２がリレー端末ＵＥ１に参照信号のリソースを通知し、リレー端末ＵＥ１がアクセスリンクの品質を測定する例を示している。
【０１２１】
上記の参照信号の構成、Ｄｉｓｃｏｖｅｒｙ信号の繰り返し送信の数、ホッピングのパラメータをリレー端末ＵＥ１からリモート端末ＵＥ２に通知する場合、リレー端末ＵＥ１は、このような参照信号のリソースを示す情報をリモート端末ＵＥ２に通知する（Ｓ２１５）。リモート端末ＵＥ２は、リレー端末ＵＥ１から受信した情報に基づいて、アクセスリンクの品質を測定する（Ｓ２１７）。
【０１２２】
また、上記の参照信号の構成、Ｄｉｓｃｏｖｅｒｙ信号の繰り返し送信の数、ホッピングのパラメータをリモート端末ＵＥ２からリレー端末ＵＥ１に通知する場合、リモート端末ＵＥ２は、このような参照信号のリソースを示す情報をリレー端末ＵＥ１に通知する（Ｓ３１５）。リレー端末ＵＥ１は、リモート端末ＵＥ２から受信した情報に基づいて、アクセスリンクの品質を測定する（Ｓ３１７）。
【０１２３】
なお、図６及び図７では、Ｄ２Ｄリレーの通信の後に参照信号のリソースの通知、アクセスリンクの品質測定が行われているが、これらは、図６及び図７のシーケンス図のどこで行われてもよい。例えば、リモート端末ＵＥ２によるリレー端末ＵＥ１の選択（Ｓ２０７）の前に実施されてもよく、リレー端末ＵＥ１による品質測定（Ｓ３０５）の間に実施されてもよい。
【０１２４】
次に、ユーザ装置（リレー端末ＵＥ１又はリモート端末ＵＥ２）の構成について説明する。上記のように、参照信号のリソースの通知又はアクセスリンクの品質の測定は、リレー端末ＵＥ１で行われてもよく、リモート端末ＵＥ２で行われてもよい。ユーザ装置の構成の説明では、リレー端末ＵＥ１が参照信号のリソースを通知し、リモート端末ＵＥ２がアクセスリンクの品質を測定する例について説明する。
【０１２５】
リレー端末ＵＥ１及びリモート端末ＵＥ２は、図３と同様に、アプリケーション部１０１と、ベースバンド信号処理部１０３と、送受信部１０５と、アンプ部１０７とを有する。
【０１２６】
ただし、リレー端末ＵＥ１のベースバンド信号処理部１０３において、参照信号のリソースの決定等が行われ、リモート端末ＵＥ２のベースバンド信号処理部１０３において、アクセスリンクの品質測定等が行われる。以下、それぞれ図４及び図８を参照してリレー端末ＵＥ１及びリモート端末ＵＥ２のベースバンド信号処理部１０３の構成を詳細に説明する。
【０１２７】
リレー端末ＵＥ１のベースバンド信号処理部１０３は、制御部１０３１において、参照信号の構成、Ｄｉｓｃｏｖｅｒｙ信号の繰り返し送信の数、ホッピングのパラメータのような参照信号のリソースを決定し、参照信号のリソースを示す情報を送信信号生成部１０３２に入力する。
【０１２８】
リモート端末ＵＥ２のベースバンド信号処理部１０３は、ＤＬ信号復号部／Ｄ２Ｄ信号復号部１０３４において、参照信号のリソースを示す情報を受信し、アクセスリンク品質測定部１０３６においてアクセスリンクの品質を測定するため、受信した参照信号のリソースを示す情報を制御部１０３１及びアクセスリンク品質測定部１０３６に入力する。
【０１２９】
リモート端末ＵＥ２のベースバンド信号処理部１０３は、アクセスリンク品質測定部１０３６において、リレー端末ＵＥ１から通知された参照信号のリソースを示す情報に従って、リレー端末ＵＥ１との間のアクセスリンクの品質を測定する。測定されたアクセスリンクの品質は、リレー端末ＵＥ１の選択又は再選択のため、制御部１０３１を介してリレー端末選択部１０３０に入力される。また、リモート端末ＵＥ２のアクセスリンク品質測定部１０３６は、セルラ通信のカバレッジを検出するため、異周波測定又はセルラ信号の測定を実施してもよい。
【０１３０】
＜Ｄ２Ｄリレーにおける接続管理＞
次に、安定したＤ２Ｄリレーの実現のためのアクセスリンクの接続状態の管理について説明する。
【０１３１】
ここでは、リレー端末ＵＥ１とリモート端末ＵＥ２との間に接続が確立された後に、アクセスリンクの接続を管理するための制御情報を規定する。例えば、アクセスリンクの接続を管理するための制御情報には、アクセスリンクの接続を維持できるというシグナリング、アクセスリンクの接続を解放するというシグナリング等が含まれる。アクセスリンクの接続を管理するための制御情報は、予め指定された周期で送信されてもよく、接続先のリレー端末ＵＥ１又はリモート端末ＵＥ２からの要求、或いは、上位レイヤの判断によって非周期的に送信されてもよい。また、アクセスリンクの接続を管理するための制御情報は、Ｄｉｓｃｏｖｅｒｙ信号として送信されてもよく、ＣｏｍｍｕｎｉｃａｔｉｏｎのＳＣＩまたはデータとして送信されてもよい。
【０１３２】
例えば、アクセスリンクの接続を管理するための制御情報には、バックホールリンクに関する情報が含まれてもよい。例えば、リレー端末ＵＥ１が基地局ｅＮＢから接続を解放するシグナリング（ＲＲＣ  Ｃｏｎｎｅｃｔｉｏｎ  Ｒｅｌｅａｓｅ）を受信した場合、リレー端末ＵＥ１は、バックホールリンクが解放されることをリモート端末ＵＥ２に通知してもよい。
【０１３３】
また、アクセスリンクの接続を管理するための制御情報には、リレー端末ＵＥ１の状態が含まれてもよい。例えば、リレー端末ＵＥ１の移動速度が閾値を超えた場合、又はリレー端末のバッファ量が閾値を超えた場合（バッファ不足となる場合）、リレー端末ＵＥ１は、このような情報をリモート端末ＵＥ２に通知してもよい。
【０１３４】
図６及び図７を参照して、Ｄ２Ｄリレーにおける接続管理について説明する。図６は、リレー端末ＵＥ１がリモート端末ＵＥ２に接続管理のための制御情報を送信し、リモート端末ＵＥ２が接続管理を行う例を示しており、図７は、リモート端末ＵＥ２がリレー端末ＵＥ１に接続管理のための制御情報を送信し、リレー端末ＵＥ１が接続管理を行う例を示している。
【０１３５】
アクセスリンクの接続を管理するための制御情報をリレー端末ＵＥ１からリモート端末ＵＥ２に通知する場合、リレー端末ＵＥ１は、このような制御情報をリモート端末ＵＥ２に通知する（Ｓ２１９）。
【０１３６】
リモート端末ＵＥ２は、リレー端末ＵＥ１から受信した制御情報に基づいて、接続状態を管理する（Ｓ２２１）。リモート端末ＵＥ２は、リレー端末ＵＥ１の制御情報に対する応答（例えば、ＡＣＫ）を送信してもよい。
【０１３７】
例えば、バックホールリンクが解放される場合、リレー端末ＵＥ１の移動速度が閾値を超えた場合又はリレー端末ＵＥ１がバッファ不足となる場合、リモート端末ＵＥ２は、リレー端末ＵＥ１から受信した制御情報に基づいて、リレー端末ＵＥ１との接続を解放し、新たなリレー端末に対してＤ２Ｄリレー要求を送信してもよい（Ｓ２０３）。接続の解放は、リレー端末ＵＥ１のバッファ内に存在するリモート端末ＵＥ２のデータを転送し終えたことが確認された後に行われてもよい。
【０１３８】
また、アクセスリンクの接続を管理するための制御情報をリモート端末ＵＥ２からリレー端末ＵＥ１に通知する場合、リモート端末ＵＥ２は、このような制御情報をリレー端末ＵＥ１に通知する（Ｓ３１９）。
【０１３９】
リレー端末ＵＥ１は、リモート端末ＵＥ２から受信した制御情報に基づいて、接続状態を管理する（Ｓ３２１）。リレー端末ＵＥ１は、リモート端末ＵＥ２の制御情報に対する応答（例えば、ＡＣＫ）を送信してもよい。
【０１４０】
例えば、リモート端末ＵＥ２が基地局ｅＮＢと送受信すべきデータが存在しなくなり、Ｄ２Ｄリレーが不要となったため、リモート端末ＵＥ２から接続の解放を示すシグナリングを受信した場合、リレー端末ＵＥ１は接続を解放してもよい。この場合も同様に、接続の解放は、リレー端末ＵＥ１のバッファ内に存在するリモート端末ＵＥ２のデータを転送し終えた後に行われてもよい。
【０１４１】
なお、図６及び図７では、Ｄ２Ｄリレーの通信、品質測定の後に接続状態の管理が行われているが、これらは、リレー端末ＵＥ１とリモート端末ＵＥ２との接続が確立された後のどこで行われてもよい。
【０１４２】
次に、ユーザ装置（リレー端末ＵＥ１又はリモート端末ＵＥ２）の構成について説明する。上記のように、アクセスリンクの接続管理は、リレー端末ＵＥ１で行われてもよく、リモート端末ＵＥ２で行われてもよい。ユーザ装置の構成の説明では、リレー端末ＵＥ１がアクセスリンクの接続を管理するための制御情報を通知し、リモート端末ＵＥ２がアクセスリンクの接続を管理する例について説明する。
【０１４３】
リレー端末ＵＥ１及びリモート端末ＵＥ２は、図３と同様に、アプリケーション部１０１と、ベースバンド信号処理部１０３と、送受信部１０５と、アンプ部１０７とを有する。
【０１４４】
ただし、リレー端末ＵＥ１のベースバンド信号処理部１０３において、アクセスリンクの接続を管理するための制御情報の決定等が行われ、リモート端末ＵＥ２のベースバンド信号処理部１０３において、アクセスリンクの接続管理等が行われる。以下、それぞれ図４及び図８を参照してリレー端末ＵＥ１及びリモート端末ＵＥ２のベースバンド信号処理部１０３の構成を詳細に説明する。
【０１４５】
リレー端末ＵＥ１のベースバンド信号処理部１０３は、制御部１０３１において、アクセスリンクの接続を管理するための制御情報を送信信号生成部１０３２に入力する。例えば、制御部１０３１は、バックホールリンクに関する情報を決定してもよく、リレー端末ＵＥ１の移動速度又はバッファ量等の状態を決定してもよい。
【０１４６】
リモート端末ＵＥ２のベースバンド信号処理部１０３は、ＤＬ信号復号部／Ｄ２Ｄ信号復号部１０３４において、アクセスリンクの接続を管理するための制御情報を受信し、制御部１０３１の接続管理部１０３７においてアクセスリンクの接続を管理するため、制御部１０３１に入力する。
【０１４７】
リモート端末ＵＥ２のベースバンド信号処理部１０３は、制御部１０３１の接続管理部１０３７において、リレー端末ＵＥ１から通知されたアクセスリンクの接続を管理するための制御情報に従って、リレー端末ＵＥ１との間のアクセスリンクの接続を管理する。例えば、リレー端末ＵＥ１との接続が維持できる場合、接続管理部１０３７は、リレー端末ＵＥ１との間のアクセスリンクを維持し、例えば、バックホールリンクが解放される場合、リレー端末ＵＥ１の移動速度が閾値を超えた場合又はリレー端末ＵＥ１がバッファ不足となる場合、接続管理部１０３７は、リレー端末ＵＥ１との接続を解放する。
【０１４８】
＜バックホールリンクにおけるリソース割り当て＞
次に、Ｄ２Ｄリレーにおけるリレー端末ＵＥ１のトラヒック量の増加を考慮して基地局ｅＮＢがリソースを割り当てることについて説明する。
【０１４９】
図６を参照して説明したように、リレー端末ＵＥ１がリモート端末ＵＥ２により選択される場合、基地局ｅＮＢは、リレー端末ＵＥ１からの報告（Ｓ２１１）又はコアネットワーク（例えば、ＭＭＥ）からの通知によってリレー端末ＵＥ１がＤ２Ｄリレーを実施していることを把握できる。また、図７を参照して説明したように、基地局ｅＮＢがリレー端末ＵＥ１を選択した場合、選択したリレー端末ＵＥ１がＤ２Ｄリレーを実施していることを把握できる。なお、リレー端末ＵＥ１が複数のリモート端末ＵＥ２と接続することも考えられる。
【０１５０】
このような場合、基地局ｅＮＢは、Ｄ２Ｄリレーにおける通信中に（Ｓ２１３又はＳ３１３）、リレー端末ＵＥ１に追加のリソースを割り当ててもよい。例えば、基地局ｅＮＢは、リレー端末ＵＥ１が接続しているリモート端末ＵＥ２の送信データ量を考慮してもよく、リレー端末ＵＥ１が接続しているリモート端末ＵＥ２の数を考慮してもよい。
【０１５１】
次に、基地局ｅＮＢの構成について説明する。基地局ｅＮＢは、図９と同様に、アプリケーション部１０１と、ベースバンド信号処理部１０３と、送受信部１０５と、アンプ部１０７とを有する。
【０１５２】
ただし、基地局ｅＮＢのベースバンド信号処理部１０３において、リレー端末ＵＥ１によるＤ２Ｄリレーの動作を考慮して、リレー端末ＵＥ１にリソースを割り当てる。
【０１５３】
基地局ｅＮＢのベースバンド信号処理部１０３は、図１０と同様に、スケジューリング部２０３０と、制御部２０３１と、下りリンク（ＤＬ）信号生成部２０３２と、マッピング部２０３３と、上りリンク（ＵＬ）信号復号部２０３４と、判定部２０３５とを有する。
【０１５４】
スケジューリング部２０３０は、リレー端末ＵＥ１に対して下りリンクのデータを送信するため又はリレー端末ＵＥ１から上りリンクのデータを受信するため、リレー端末ＵＥ１に対してリソースを割り当てる。このとき、スケジューリング部２０３０は、リレー端末ＵＥ１が接続しているリモート端末ＵＥ２の送信データ量を考慮してもよく、リレー端末ＵＥ１が接続しているリモート端末ＵＥ２の数を考慮して、リソースを割り当ててもよい。
【０１５５】
＜本発明の実施例の効果＞
本発明の実施例によれば、効率的なＤ２Ｄ通信を実現することが可能になる。
【０１５６】
（１）送信用リソースと受信用リソースとの直交化により、Ｄ２Ｄ通信におけるユーザ装置ＵＥ間での送信用リソースの衝突を回避することが可能になる。
【０１５７】
（２）リレー端末ＵＥ１の選択において、リレー端末ＵＥ１がＤ２Ｄリレー可否を送信することにより、リレー端末ＵＥ１が近くに存在しないにもかかわらず、リモート端末ＵＥ２がリレー端末ＵＥにＤ２Ｄリレーのための要求を送信するという状況を回避することが可能になる。
【０１５８】
また、複数のリレー端末の候補が存在する場合、アクセスリンクの品質又はバックホールリンクの品質を考慮してリレー端末を選択することにより、リモート端末ＵＥ２にとって最適なリレー端末ＵＥ１を選択することが可能になる。例えば、アクセスリンクの品質が最大化されてもよく、バックホールリンクの品質とアクセスリンクの品質との双方のバランスが考慮されてもよい。また、バックホールリンクの容量を考慮することで、バックホールリンクの容量不足を回避することが可能になる。
【０１５９】
（３）アクセスリンクの品質を測定するための同期信号又は参照信号のリソース及びリレー端末ＵＥ１の選択又は再選択により、アクセスリンクの品質測定が向上できる。
【０１６０】
（４）アクセスリンクの接続管理により、リレー端末ＵＥ１との安定した接続が確保されると共に、リレー端末ＵＥ１がＤ２Ｄリレーに不適切となった場合に、リレー端末を再選択することが可能になる。また、リレー端末ＵＥ１によるＤ２Ｄリレーが不要となった場合、アクセスリンクを解放することが可能になる。
【０１６１】
（５）バックホールリンクにおけるリソース割り当てにより、リモート端末ＵＥ２と基地局ｅＮＢとの間のスループットを安定させることが可能になる。
【０１６２】
説明の便宜上、本発明の実施例に係るユーザ装置及び基地局は機能的なブロック図を用いて説明しているが、本発明の実施例に係るユーザ装置及び基地局は、ハードウェア、ソフトウェアまたはそれらの組み合わせで実現されてもよい。また、各機能部が必要に応じて組み合わせて使用されてもよい。また、本発明の実施例に係る方法は、実施例に示す順序と異なる順序で実施されてもよい。
【０１６３】
以上、効率的なＤ２Ｄ通信を実現するための手法について説明したが、本発明は、上記の実施例に限定されることなく、請求の範囲内において、種々の変更・応用が可能である。
【０１６４】
本国際出願は２０１４年１１月１４日に出願した日本国特許出願２０１４−２３２１３６号に基づく優先権を主張するものであり、２０１４−２３２１３６号の全内容を本国際出願に援用する。
【符号の説明】
【０１６５】
１０      ユーザ装置
１０１    アプリケーション部
１０３    ベースバンド信号処理部
１０５    送受信部
１０７    アンプ部
１０３０  リレー端末選択部
１０３１  制御部
１０３２  送信信号生成部
１０３３  マッピング部
１０３４  下りリンク（ＤＬ）信号復号部／Ｄ２Ｄ信号復号部
１０３５  判定部
１０３６  アクセスリンク品質測定部
１０３７  接続管理部
２０      基地局
２０１    伝送路インターフェース
２０３    ベースバンド信号処理部
２０５    呼処理部
２０７    送受信部
２０９    アンプ部
２０３０  スケジューリング部
２０３１  制御部
２０３２  下りリンク（ＤＬ）信号生成部
２０３３  マッピング部
２０３４  上りリンク（ＵＬ）信号復号部
２０３５  判定部
２０３６  リレー端末選択部
【図１】
2016076107.tif 000003
【図２】
2016076107.tif 000004
【図３】
2016076107.tif 000005
【図４】
2016076107.tif 000006
【図５】
2016076107.tif 000007
【図６】
2016076107.tif 000008
【図７】
2016076107.tif 000009
【図８】
2016076107.tif 000010
【図９】
2016076107.tif 000011
【図１０】
2016076107.tif 000012
【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
リレー端末との間でＤ２Ｄ（ユーザ装置間）通信を行うリモート端末として動作するユーザ装置であって、
候補リレー端末から送信された参照信号の品質を測定する品質測定部と、
前記測定された品質に基づいて、基地局に送信すべきＤ２Ｄ信号の送信先のリレー端末を選択するリレー端末選択部と、
前記Ｄ２Ｄ信号を前記選択されたリレー端末に送信する送信部と、
を有するユーザ装置。
【請求項２】
前記リレー端末選択部は、前記測定された品質が閾値より大きい端末を、前記送信先のリレー端末として選択する、
請求項１に記載のユーザ装置。
【請求項３】
リレー端末と、当該リレー端末との間でＤ２Ｄ（ユーザ装置間）通信を行うリモート端末とを有する通信システムであって、
前記リモート端末は、
候補リレー端末から送信された参照信号の品質を測定する品質測定部と、
前記測定された品質に基づいて、基地局に送信すべきＤ２Ｄ信号の送信先のリレー端末を選択するリレー端末選択部と、
前記Ｄ２Ｄ信号を前記選択されたリレー端末に送信する送信部と、
を有し、
前記リレー端末は 、
リレー端末として動作することを前記基地局に通知し、前記リモート端末から受信したＤ２Ｄ信号を前記基地局に送信する送信部
を有する通信システム。
【請求項４】
リレー端末との間でＤ２Ｄ（ユーザ装置間）通信を行うリモート端末として動作するユーザ装置におけるＤ２Ｄ通信方法であって、
候補リレー端末から送信された参照信号の品質を測定するステップと、
前記測定された品質に基づいて、基地局に送信すべきＤ２Ｄ信号の送信先のリレー端末を選択するステップと、
前記Ｄ２Ｄ信号を前記選択されたリレー端末に送信するステップと、
を有するＤ２Ｄ通信方法。
【請求項５】
リレー端末と、当該リレー端末との間でＤ２Ｄ（ユーザ装置間）通信を行うリモート端末とを有する通信システムにおけるＤ２Ｄ通信方法であって、
前記リモート端末が、候補リレー端末から送信された参照信号 の品質を測定するステップと、
前記リモート端末が、前記測定された品質に基づいて、基地局に送信すべきＤ２Ｄ信号の送信先のリレー端末を選択するステップと、
前記リレー端末が、リレー端末として動作することを前記基地局に通知するステップと、
前記リモート端末が、前記Ｄ２Ｄ信号を前記選択されたリレー端末に送信するステップと、
前記リレー端末が、前記リモート端末から受信したＤ２Ｄ信号を前記基地局に送信するステップと、
を有するＤ２Ｄ通信方法。
【国際調査報告】
2016076107.tif 000013
2016076107.tif 000014
2016076107.tif 000015
2016076107.tif 000016
2016076107.tif 000017
2016076107.tif 000018
2016076107.tif 000019
2016076107.tif 000020